(57)【要約】【課題】取り付け対象物に取り付け可能なバックル付きケースを提供すること。【解決手段】バックル付きケース１０は、収納物を収納するためのケース１１と、ベルト１３の一方に凸状の雄バックル１２ａ、他方に凹状の雌バックル１２ｂが取り付けられ、雄バックル１２ａを雌バックル１２ｂに挿入して結合させることにより、ケース１１を取り付け対象物に取り付けるためのバックル１２とを備え、バックル１２は、雄バックル１２ａまたは雌バックル１２ｂがケース１１と一体となって構成される。【選択図】図１
2014004191.tif 000002
【特許請求の範囲】
【請求項１】
取り付け対象物に取り付け可能なバックル付きケースであって、
収納物を収納するためのケースと、
ベルトの一方に凸状の雄バックル、他方に凹状の雌バックルが取り付けられ、前記雄バックルを前記雌バックルに挿入して結合させることにより、前記ケースを前記取り付け対象物に取り付けるためのバックルとを備え、
前記バックルは、前記雄バックルまたは前記雌バックルが前記ケースと一体となって構成されることを特徴とするバックル付きケース。
【請求項２】
請求項１に記載のバックル付きケースにおいて、
前記バックルと前記ケースとは、前記雄バックルまたは前記雌バックルが前記ケースと平面を構成するように一体化することを特徴とするバックル付きケース。
【請求項３】
請求項１または２に記載のバックル付きケースにおいて、
前記雄バックルを前記雌バックルに挿入して固定した状態でロックするロック機構をさらに備えることを特徴とするバックル付きケース。
【請求項４】
請求項１〜３のいずれか一項に記載のバックル付きケースにおいて、
前記ケースは、開口部と前記開口部を覆う蓋部とをさらに備えることを特徴とするバックル付きケース。
【発明の詳細な説明】
【技術分野】
【０００１】
本発明は、バックル付きケースに関する。
【背景技術】
【０００２】
次のようなウエストベルト付き釣り用ケースが知られている。このウエストベルト付き釣り用ケースにおいて、ウエストベルトは、ベルト体と接続用リング部材で連結されたベルト体と、ベルト体の端に接続されたバックルと、ベルト体の折り返された重合部の端に接続されたバックルと、ベルト体の長さを調整する長さ調整環で構成されており、バックルが係脱自在に係合されることで釣人の正面で止着されて、釣り用ケ−スを取り付けたウエストベルトが釣人の腰に装着される（例えば、特許文献１）。
【先行技術文献】
【特許文献】
【０００３】
【特許文献１】特開２００４−２１５６６０号公報
【発明の概要】
【発明が解決しようとする課題】
【０００４】
しかしながら、従来のウエストベルト付き釣り用ケースでは、ケースにはベルトが取り付けられており、その両端にバックルが取り付けられ、このバックルを係合することによりケースを腰に固定する構造となっていた。この場合、バックルを外すときには、両手でそれぞれのバックルをしっかり把持して外さないと、ケースの重みでケースが落ちてしまう可能性があった。また、従来のウエストベルト付き釣り用ケースと同様の構造で、利用者の所持品に取り付けるための小型ケースを作成した場合には、ケースとバックルがベルトを介して離れた位置にあるため、ケースとバックルの２か所に厚みのある部分ができてしまう。このように厚みのある箇所が増えると、周囲物や利用者の衣服等に引っかかる危険性が高くなるという問題もあった。
【課題を解決するための手段】
【０００５】
本発明によるバックル付きケースは、取り付け対象物に取り付け可能なバックル付きケースであって、収納物を収納するためのケースと、ベルトの一方に凸状の雄バックル、他方に凹状の雌バックルが取り付けられ、雄バックルを雌バックルに挿入して結合させることにより、ケースを取り付け対象物に取り付けるためのバックルとを備え、バックルは、雄バックルまたは雌バックルがケースと一体となって構成されることを特徴とする。
本発明では、バックルとケースとは、雄バックルまたは雌バックルがケースと平面を構成するように一体化することが好ましい。
雄バックルを雌バックルに挿入して固定した状態でロックするロック機構をさらに備えるようにしてもよい。
ケースは、開口部と開口部を覆う蓋部とをさらに備えるようにしてもよい。
【発明の効果】
【０００６】
本発明によれば、雄バックルまたは雌バックルがケースと一体となって構成するようにしたので、バックルを外す際には、必ず片方の手がケースと一体となったバックルを把持することになるため、ケースを落とす危険性が低くなる。また、雄バックルまたは雌バックルがケースと一体化されているため、バックル付きケースを利用者の所持品に取り付けた場合、厚みが生じるのはケース本体のみとなり、その他は平らなベルトのみとなるため、周囲物や利用者の衣服等に引っかかる危険性を低下させることができる。
【図面の簡単な説明】
【０００７】
【図１】バックル付きケース１０の構造を模式的に示す図である。
【図２】バックル１２の構造を模式的に示す図である。
【図３】ケース１１と雌バックル１２ｂとを一体化させた場合の具体例を模式的に示す図である。
【図４】バックルが外された状態のバックル付きケース１０の構造を模式的に示す図である。
【図５】バッグ５ａの持ち手部分にバックル付きケース１０を取り付けた場合の具体例を模式的に示す図である。
【図６】ケース１１とバックル１２とが離れた位置で固定される従来の固定方法を模式的に示す図である。
【図７】ケース１１とバックル１２の間の段差を無くすように構成した場合のバックル付きケース１０の構造を模式的に示す図である。
【図８】ケース１１として蓋付きケースを採用した場合の蓋が開いている状態のバックル付きケース１０の構造を模式的に示す図である。
【図９】ケース１１として蓋付きケースを採用した場合の蓋が閉じている状態のバックル付きケース１０の構造を模式的に示す図である。
【発明を実施するための形態】
【０００８】
図１は、本実施の形態におけるバックル付きケース１０の構造を模式的に示す図である。バックル付きケース１０は、種々の収納物を収納するためのケース１１と、ケース１１を種々の取り付け対象物に取り付けるためのバックル１２およびベルト１３とで構成される。
【０００９】
このバックル付きケース１０の利用シーンとしては、例えば、利用者が普段持ち運ぶ物をケース１１内に収納して、バックル１２とベルト１３とでバッグ等の所持品に固定して取り付ける場合が考えられる。この場合、バックル付きケース１０は、化粧ポーチ、財布、定期入れ、携帯電話ケース等の代用品として利用することができる。
【００１０】
あるいは、ケース１１を既存の機器のケースとして用いることもできる。例えば、歩数計や消費カロリー計の外装としてケース１１を用いれば、バックル１２とベルト１３により、歩数計や消費カロリー計を利用者のバッグ、ベルト、ベルト通し等に取り付けることが可能となる。
【００１１】
あるいは、ケース１１内に現在位置を計測するためのＧＰＳモジュールや通信モジュールを収納して、外部の端末からバックル付きケース１０を取り付けた物や、それを所持する人物の現在位置を特定するためのシステム用に、バックル付きケース入りＧＰＳ端末として提供することもできる。
【００１２】
ケース１１は、その材質、大きさ、形状、色は特に限定されないが、種々の取り付け対象物に取り付けることを考慮して、例えば、樹脂などの軽量かつ丈夫な材質で作られていることが好ましい。また、ケース１１の大きさや形状は、ケース１１内への収納が想定される収納物の大きさや形状に合わせた形状とされる。よって、図１では、側方から見たときに長方形に見える形状のケース１１を用いているが、これに限定されるものではない。
【００１３】
ケース１１の色は、バックル付きケース１０の利用シーンに応じて変更すればよい。例えば、利用者の衣服や所持品に取り付けて利用することが想定され、ファッション性が要求される場合には、ケース１１の外観にカラフルな色彩を施してもよいし、多くのカラーバリエーションを用意してもよい。また、ケース１１の外観にデザインを施すことにより、あたかもアクセサリーであるかのように見せるようにしてもよい。また、テーマパークやショッピングモールの運営企業が、テーマパークやショッピングモール内でバックル付きケース１０を利用する場合には、そのテーマパークやショッピングモールのキャラクターやロゴマークをケース１１の外観にプリントしたり、テーマパークやショッピングモールのキャラクターやロゴマークを印刷したシールを貼り付けるなどして、ケース１１にその場所に応じたデザインを施すようにしてもよい。あるいは、利用者が貴重品などを収納して持ち歩くことを想定する場合には、外部からあまり目立たないような色とするとともに、内部が見えないように不透明とすればよい。
【００１４】
なお、利用者が所持品等を収納するためにバックル付きケース１０を利用する場合には、所持品を出し入れできるように、ケース１１には、内部にアクセスするための開口部を設け、該開口部を覆うための蓋を設ける必要がある。一方、上述した歩数計、消費カロリー計、ＧＰＳモジュール、通信モジュールなどを収納する場合には、開口部は備えずに、全面をケース１１と同素材で覆ってしまえばよい。図１は、ケース１１に開口部を備えない場合を図示したものである。一方、開口部と蓋を備える例については、図８、図９で後述する。
【００１５】
バックル１２は、雄バックル１２ａと、雌バックル１２ｂとで構成される。図２は、バックル１２の構造を模式的に示した図である。図２では、説明の簡略化のためにベルト１３は図示を省略してある。図２に示すように、バックル１２は、凸状の雄バックル１２ａが、凹状の雌バックル１２ｂに挿入されることにより結合する。ベルト１３は、雄バックル１２ａが備えるベルト通し部１２ａ−１、及び雌バックル１２ｂが備えるベルト通し部１２ｂ−１に両端が通されて固定される。これにより、雄バックル１２ａと雌バックル１２ｂは、１本のベルト１３により繋がっている。
【００１６】
本実施の形態では、雄バックル１２ａまたは雌バックル１２ｂは、ケース１１と一体となって構成されている。図３は、雌バックル１２ｂをケース１１とを一体化させた場合の例を模式的に示した図である。この図３に示す例では、円柱状のケース１１の底面に雌バックル１２ｂが取り付けられることにより一体化されている。この図３のように、雌バックル１２ｂとケース１１とを一体として構成した場合のバックル付きケース１０を側面からみると図４のようになる。なお、図１、図４では、ケース１１と雌バックル１２ｂとの境界を明確にするために、境界線を実線で記しているが、両者を一体とした実製品においては、この境界部分に線が入るとは限らない。
【００１７】
この図４に示すバックル付きケース１０において、ケース１１と一体化された雌バックル１２ｂに雄バックル１２ａを挿入して結合させることにより、バックル付きケース１０をベルト１３で取り付け対象物に固定することができる。例えば、図５は、バッグ５ａの持ち手部分にベルト１３を通してバックル付きケース１０を取り付けた場合の具体例を示している。
【００１８】
なお、本実施の形態のように、雌バックル１２ｂをケース１１と一体とする場合、雌バックル１２ｂとケース１１を別々に成形して、その後、結合や接着することによって一体化させてもよいし、雌バックル１２ｂとケース１１とを一体成型するようにしてもよい。両者を一体成型した場合は、ケース１１と雌バックル１２ｂとを別々に成型してから結合または接着する場合と比較して、軽量化を図ることができるとともに、両者が外れてケース１１を紛失してしまう可能性を低減することができる。
【００１９】
また、バックル１２を用いてケース１１をベルトで固定する場合は、例えば、図６に示すように、ケース１１にベルト通し６ａを設けて、そこに通したベルト１３の両端に、それぞれ雄バックル１２ａ、雌バックル１２ｂを取り付ける構造とするのが一般的である。このようにした場合には、ケース１１を取り付け対象物に取り付けた際に、バックル１２とケース１１とがベルト１３を介した離れた位置で固定されることになる。この場合、取り付け時の状態、すなわち雄バックル１２ａが雌バックル１２ｂに挿入されて結合している状態では、ケース１１とバックル１２とがそれぞれ厚みを有した状態となる。このように、取り付け時の状態で厚みを有する箇所が増えると、ケース１１やバックル１２が周囲のものや利用者の衣服に引っ掛かったりする危険性がある。しかしながら、本実施の形態に示すように、雌バックル１２ｂをケース１１と一体化すれば、取り付け時の状態において、厚みを有する部分はケース１１とバックル１２とが一体となって構成される箇所の一か所のみとなり、その他は取り付け対象物との固定に用いられる薄く平らなベルト１３のみとなるため、上記のような危険を防止することができる。
【００２０】
さらに、図６のような構成にした場合には、利用者は、バックル１２を外すときには、雄バックル１２ａと雌バックル１２ｂとをそれぞれの手で把持して取り外す必要がある。この場合、雄バックル１２ａと雌バックル１２ｂとを把持するために両手がふさがってしまうため、利用者は、ケース１１を把持することができない。よって、ケース１１内に重みのあるものが入っている場合などは、バックル１２を外した途端に、ケース１１がその重みで勢いよく下方に落下し、利用者はその勢いで誤ってバックル付きケース１０を落としてしまう可能性がある。しかしながら、本実施の形態に示すように、雌バックル１２ｂをケース１１と一体化すれば、バックル１２を外す際には、利用者は必ずそれと一体化されているケース１１を把持する必要があるため、バックル１２を外す際に、誤ってバックル付きケース１０を落としてしまう危険性も低減することができる。また、図６に示す構成と比較すると片手でのバックルの着脱も容易に行うことが可能となる。
【００２１】
また、周囲物や利用者の衣服等との引っ掛かりを防止するという観点では、図１に示したように、取り付け時の状態において、ケース１１とバックル１２とに段差があるのは好ましくない。このため、より引っ掛かる可能性を低下させる必要がある場合には、図７に示すように、ケース１１とバックル１２とが平面を構成するように一体化すればよい。すなわち、ケース１１とバックル１２との間の段差を無くすように、バックル１２の長さをケース１１の長さに合わせればよい。
【００２２】
ベルト１３は、取り付け対象物にバックル付きケース１０を固定するために、例えばナイロン等の軽量かつ丈夫な材質で作られていることが好ましい。また、ベルト１３の長さは、取り付け対象物に合わせた長さとすれば、ケース１１を取り付け対象物にぴったりと固定することができる。
【００２３】
ベルト１３の長さを取り付け対象物に合わせた長さとする方法としては、種々の方法が考えられるが、例えば、雄バックル１２ａのベルト通し１２ａ−１や雌バックル１２ｂのベルト通し１２ｂ−１に長さの調節機構を設けてもよいし、ベルト１３に長さ調節用の部材を取り付けるようにしてもよい。また、利用者がベルト１３を任意の長さにカットして調整するようにしてもよい。あるいは、バックル付きケース１０の販売者が、様々な取り付け対象物への取り付けを想定して、ベルト１３の長さが異なった複数種類のバックル付きケース１０を商品として販売するようにしてもよい。あるいは、雌バックル１２ｂとケース１１とを取り外し可能な構成にするとともに、ベルト１３の長さが異なる複数種類のバックル１２を用意しておき、利用者が取り付け対象物に応じて適切な長さのベルト１３を有したバックル１２を選択できるようにしてもよい。
【００２４】
次に、上述したように、ケース１１に開口部と蓋とを設けた場合のバックル付きケース１０の具体例について、図８、図９を用いて説明する。この場合、ケース１１は、図８に示すように、収納部１１ａと蓋部１１ｂとで構成され、収納部１１ａには、その上面、すなわちバックルとは反対側の面に内部にアクセスするための開口部１１ｃが設けられている。そして、図９に示すように、蓋部１１ｂを閉じることにより、開口部１１ｃは蓋部１１ｂにより覆われる。なお、図８に示す例では、蓋部１１ｂは円周上の一部を軸として跳ね上げるように開くようになっているが、例えばネジ式にして、開けた状態では蓋１１ｂと収納部１１ａとが完全に分離する構成であってもよい。
【００２５】
以上説明した本実施の形態によれば、以下のような作用効果を得ることができる。
（１）バックル付きケース１０は、収納物を収納するためのケース１１と、ベルト１３の一方に凸状の雄バックル１２ａ、他方に凹状の雌バックル１２ｂが取り付けられ、雄バックル１２ａを雌バックル１２ｂに挿入して結合させることにより、ケース１１を取り付け対象物に取り付けるためのバックル１２とを備え、バックル１２は、雄バックル１２ａまたは雌バックル１２ｂがケース１１と一体となって構成されるようにした。これによって、バックル１２とベルト１３とを用いてケース１１を様々な取り付け対象物に取り付けることが可能となる。さらに、取り付け対象物にベルト１３を通して雄バックル１２ａと雌バックル１２ｂとを結合させれば、簡易な操作で確実に取り付け対象物にケース１１を取り付けることができる。また、雄バックル１２ａまたは雌バックル１２ｂがケース１１と一体となるように構成したため、図６に示したような従来の構成と比較して、厚みを有する箇所を減らすことができ、周囲物や利用者の衣服等にバックル付きケース１０が引っ掛かる危険性を低減することができる。また、利用者は、バックル１２を外すときには、必ず一体となっているケース１１を把持する必要があるため、バックル１２を外す際に、誤ってバックル付きケース１０を落としてしまう危険性も低減することができる。
【００２６】
（２）図７に示したように、バックル１２とケース１１とは、平面を構成するように一体化させるようにした。これによって、ケース１１とバックル１２との間の段差を無くして、周囲物や利用者の衣服等にバックル付きケース１０が引っ掛かる危険性をさらに低減することができる。
【００２７】
（３）ケース１１は、収納部１１ａに開口部１１ｃを設け、該開口部１１ｃを覆うための蓋部１１ｂをさらに備えるようにした。これによって、利用者は、蓋を開けてケース１１内に種々の物を収納することが可能となる。
【００２８】
―変形例―
なお、上述した実施の形態のバックル付きケース１０は、以下のように変形することもできる。
（１）上述した実施の形態では、バックル１２は、雄バックル１２ａを雌バックル１２ｂに挿入して結合させることにより、ベルト１３で取り付け対象物に固定する例について説明した。この場合、雄バックル１２ａを雌バックル１２ｂに挿入して固定した状態で、両者が簡単に外れないようにロックをかけるためのロック機構をバックル１２にさらに備えるようにしてもよい。ロック機構としては、例えば、雄バックル１２ａを雌バックル１２ｂに挿入して固定した状態で、ロック部材をロック方向にスライドさせるとロックがかかり、逆方向にスライドさせるとロックが解除されるような機構を用いればよい。
【００２９】
（２）上述した実施の形態では、ケース内には、歩数計や消費カロリー計といった機器や、ＧＰＳモジュールや通信モジュールといった電子部品を収納することも想定した。これらの機器や電子部品などのように、内蔵バッテリーによる電力の供給を必要とする収納物をケース１１内に収納する場合には、内蔵バッテリーへの充電が必要となる。この場合には、内部に収納する機器や電子部品が備える内蔵バッテリーへの充電用端子をケース１１に備えるようにしてもよい。また、内部に収納する機器や電子部品が操作部や表示部を備える場合には、これらをケース１１の外部に突出させるための開口部を設けるようにしてもよい。
【００３０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００３１】
１０  バックル付きケース
１１  ケース
１１ａ  収納部
１１ｂ  蓋部
１１ｃ  開口部
１２  バックル
１２ａ  雄バックル
１２ｂ  雌バックル
１３  ベルト
【図１】
2014004191.tif 000003
【図２】
2014004191.tif 000004
【図３】
2014004191.tif 000005
【図４】
2014004191.tif 000006
【図５】
2014004191.tif 000007
【図６】
2014004191.tif 000008
【図７】
2014004191.tif 000009
【図８】
2014004191.tif 000010
【図９】
2014004191.tif 000011